(57)【要約】【課題】挟持する固定方法を用いて対象物に固定された場合であっても、正常に機能することができる静電型スピーカを提供すること。貫通孔を設ける固定方法を用いて対象物に固定された場合であっても、正常に機能することができる静電型スピーカを提供すること。【解決手段】静電型スピーカ１０は、表面１０２Ａに導電層１０３が設けられた振動体１０２と、表面１０２Ａと対向する表面１１２Ａに導電層１１３が設けられた電極１１２とを備える本体部を有する。静電型スピーカ１０の本体部には、保持部材によって保持される保持領域１０Ａが設けられている。静電型スピーカ１０は、（ａ）導電層１０３は表面１０２Ａにおける保持領域１０Ａの部分を回避して表面１０２Ａに設けられている、または、（ｂ）導電層１１３は表面１１２Ａにおける保持領域１０Ａの部分を回避して表面１１２Ａに設けられている、の少なくともいずれか一方を満たす。【選択図】図２
2011077924.tif 000002
【特許請求の範囲】
【請求項１】
第１の表面に第１の導電層が設けられた振動体と、
前記第１の表面と対向する第２の表面に第２の導電層が設けられた電極と、
を備える本体部を有し、
前記本体部には、
保持部材によって保持される保持領域が設けられ、
前記第１の導電層は、
前記第１の表面における前記保持領域の部分を回避して、前記第１の表面に設けられている、
または、
前記第２の導電層は、
前記第２の表面における前記保持領域の部分を回避して、前記第２の表面に設けられている
の少なくともいずれか一方を満たす
ことを特徴とする静電型スピーカ。
【請求項２】
前記保持領域は、
前記本体部の端部に沿って設けられており、
前記第１の表面における前記保持領域の部分は、前記第１の表面における前記端部に沿って設けられており、
前記第２の表面における前記保持領域の部分は、前記第２の表面における前記端部に沿って設けられている
ことを特徴とする請求項１に記載の静電型スピーカ。
【請求項３】
前記本体部は、
前記振動体および前記電極をそれぞれ貫通する貫通孔が形成され、
前記第１の表面における前記保持領域の部分は、前記第１の表面における前記貫通孔の外周に沿って設けられており、
前記第２の表面における前記保持領域の部分は、前記第２の表面における前記貫通孔の外周に沿って設けられている
ことを特徴とする請求項１に記載の静電型スピーカ。
【発明の詳細な説明】
【技術分野】
【０００１】
本発明は、静電型スピーカに関する。
【背景技術】
【０００２】
特許文献１には、導電性を有し、面同士が対向して配置された一対の固定電極と、導電性を有し、一対の固定電極の間において、一対の固定電極と離間して配置された振動板とを備える静電型スピーカが記載されている。特許文献２には、薄膜状部材により形成された振動板の両面側に、ダンピング部材を介して平面電極が配置された平面スピーカが記載されている。
【先行技術文献】
【特許文献】
【０００３】
【特許文献１】特開２００７−２７４３４１号公報
【特許文献２】特開２００８−０５４１５４号公報
【発明の概要】
【発明が解決しようとする課題】
【０００４】
しかしながら、特許文献１および２に記載の技術では、静電型スピーカの固定方法によっては、隣接する導電層同士が導通してしまい、静電型スピーカが正常に機能することができない。たとえば、静電型スピーカの端部を挟持することで静電型スピーカを固定する場合、挟持された部分に強い圧力がかかったことにより、静電型スピーカ内部の隣接する導電層同士が短絡してしまうと、静電型スピーカが正常に機能しない。また、静電型スピーカに貫通孔を設け、螺子、フックなどの導電性を有する保持部材を貫通孔に通すことで静電型スピーカを固定する場合、貫通孔の内壁面に露出した隣接する導電層同士が保持部材によって短絡してしまうと、静電型スピーカが正常に機能しない。また、貫通孔の周辺に強い圧力が加わることによっても、隣接する導電層同士が短絡してしまうと、静電型スピーカが正常に機能しない。そこで、本発明は、上記した固定方法を用いて対象物に固定された場合であっても、隣接する導電層同士が短絡することがない静電型スピーカを提供することを目的とする。
【課題を解決するための手段】
【０００５】
上記課題を解決するため、本発明は、第１の表面に第１の導電層が設けられた振動体と、前記第１の表面と対向する第２の表面に第２の導電層が設けられた電極と、を備える本体部を有し、前記本体部には、保持部材によって保持される保持領域が設けられ、前記第１の導電層は、前記第１の表面における前記保持領域の部分を回避して、前記第１の表面に設けられている、または、前記第２の導電層は、前記第２の表面における前記保持領域の部分を回避して、前記第２の表面に設けられているの少なくともいずれか一方を満たすことを特徴とする静電型スピーカを提供する。また、本発明は、前記保持領域は、前記本体部の端部に沿って設けられており、前記第１の表面における前記保持領域の部分は、前記第１の表面における前記端部に沿って設けられており、前記第２の表面における前記保持領域の部分は、前記第２の表面における前記端部に沿って設けられていることを特徴とする静電型スピーカを提供する。また、本発明は、前記本体部は、前記振動体および前記電極をそれぞれ貫通する貫通孔が形成され、前記第１の表面における前記保持領域の部分は、前記第１の表面における前記貫通孔の外周に沿って設けられており、前記第２の表面における前記保持領域の部分は、前記第２の表面における前記貫通孔の外周に沿って設けられていることを特徴とする静電型スピーカを提供する。
【発明の効果】
【０００６】
本発明の静電型スピーカによれば、静電型スピーカを挟持する固定方法を用いて対象物に固定された場合であっても、正常に機能することができる。また、静電型スピーカに貫通孔を設ける固定方法を用いて対象物に固定された場合であっても、正常に機能することができる。
【図面の簡単な説明】
【０００７】
【図１】第１の実施形態に係る静電型スピーカ１０の外観を示す。
【図２】第１の実施形態に係る静電型スピーカ１０の断面を示す。
【図３】第１の実施形態に係る静電型スピーカ１０の構成を示す。
【図４】第１の実施形態に係る静電型スピーカ１０の電気的構成を示す。
【図５】第１の実施形態に係る静電型スピーカ１０の保持例を示す。
【図６】第２の実施形態に係る静電型スピーカ１０の外観を示す。
【図７】第２の実施形態に係る静電型スピーカ１０の断面を示す。
【図８】第２の実施形態に係る静電型スピーカ１０の構成を示す。
【図９】第２の実施形態に係る静電型スピーカ１０の保持例を示す。
【発明を実施するための形態】
【０００８】
図１は、第１の実施形態に係る静電型スピーカ１０の外観を示す。図２は、第１の実施形態に係る静電型スピーカ１０の断面を示す。図３は、第１の実施形態に係る静電型スピーカ１０の構成を示す。静電型スピーカ１０（本体部）は、電極１１２、振動体１０２、電極１１４、およびクッション材１３２を備える。静電型スピーカ１０は、上から電極１１２、クッション材１３２、振動体１０２、クッション材１３２、電極１１４の順に重ねられることで、積層構造を有する。これらの部材は、テープ、接着剤などによって、互いに固着されている。これにより、静電型スピーカ１０は、図１に示したように、各部材が結合された状態を維持する。電極１１２、振動体１０２、および電極１１４は、いずれも薄膜状の部材によって形成されており、柔軟性を有する。また、電極１１２、振動体１０２、および電極１１４は、いずれも矩形かつ平板状の部材である。電極１１２、電極１１４、および振動体１０２には、ＰＥＴ（ｐｏｌｙｅｔｈｙｌｅｎｅ  ｔｅｒｅｐｈｔｈａｌａｔｅ）、ＰＰ（ｐｏｌｙｐｒｏｐｙｌｅｎｅ）などの素材が用いられる。電極１１２には、貫通孔１１２Ｃが所定間隔で複数設けられている。電極１１４には、貫通孔１１４Ｃが所定間隔で複数設けられている。
【０００９】
静電型スピーカ１０の本体部には、保持領域１０Ａが設けられている。保持領域１０Ａとは、静電型スピーカ１０を設置する場合に、保持部材によって保持される領域を示す。静電型スピーカ１０において、保持領域１０Ａは、本体部の端部に沿って、設けられている。具体的には、静電型スピーカ１０において、保持領域１０Ａは、矩形状の本体部の一辺に沿って、一定の幅Ｗを有して設けられている。
【００１０】
振動体１０２は、クッション材１３２を介して、電極１１２と電極１１４とに、一端が挟まれて保持される。振動体１０２と電極１１２との間には、クッション材１３２が挟み込まれる。また、振動体１０２と電極１１４との間には、クッション材１３２が挟み込まれる。クッション材１３２は、絶縁性、通気性、および弾性を有する。クッション材１３２には、綿を圧縮したものが用いられる。これにより、振動体１０２と電極１１２との間、および振動体１０２と電極１１４との間には、振動体１０２が振動するのに十分な内部空間１０Ｂが形成される。ここで、電極１１２と振動体１０２との間に、振動体１０２が振動するのにより十分な内部空間１０Ｂを確保するためのスペーサを設けてもよい。同様に、電極１１４と振動体１０２との間に、振動体１０２が振動するのにより十分な内部空間１０Ｂを確保するためのスペーサを設けてもよい。
【００１１】
振動体１０２の上記一端以外の部分である振動部は、内部空間１０Ｂ内に収まる形状および大きさを有する。振動体１０２の振動部は、上下方向において、内部空間１０Ｂの略中間位置であって、電極１１２と電極１１４との間の略中間位置に位置している。振動体１０２の上面である表面１０２Ａ（第１の表面）は、当該振動体１０２が振動するために十分な大きさの内部空間１０Ｂを挟んで、電極１１２の下面である表面１１２Ａ（第２の表面）と対向する。振動体１０２の下面である表面１０２Ｂ（第３の表面）は、当該振動体１０２が振動するために十分な大きさの内部空間１０Ｂを挟んで、電極１１４の上面である表面１１４Ａ（第４の表面）と対向する。
【００１２】
振動体１０２の表面１０２Ａには、導電層１０３（第１の導電層）が形成されている。振動体１０２の表面１０２Ｂには、導電層１０４（第３の導電層）が形成されている。電極１１２の表面１１２Ａには、導電層１１３（第２の導電層）が形成されている。電極１１４の表面１１４Ａには、導電層１１５（第４の導電層）が形成されている。導電層１０３、導電層１０４、導電層１１３、および導電層１１５は、表面１０２Ａ、表面１０２Ｂ、表面１１２Ａ、および表面１１４Ａに対して、導電性を有する金属を蒸着するか、または導電性を有する塗料を塗布することにより、表面１０２Ａ、表面１０２Ｂ、表面１１２Ａ、および表面１１４Ａに形成される。
【００１３】
静電型スピーカ１０において、保持領域１０Ａは、本体部の端部に沿って一定の幅Ｗを有して設けられている。これにより、表面１０２Ａにおける保持領域１０Ａの部分は、表面１０２Ａにおける上記端部に沿って一定の幅Ｗを有して設けられている。また、表面１０２Ｂにおける保持領域１０Ａの部分は、表面１０２Ｂにおける上記端部に沿って一定の幅Ｗを有して設けられている。また、表面１１２Ａにおける保持領域１０Ａの部分は、表面１１２Ａにおける上記端部に沿って一定の幅Ｗを有して設けられている。表面１１４Ａにおける保持領域１０Ａの部分は、また、表面１１４Ａにおける上記端部に沿って一定の幅Ｗを有して設けられている。
【００１４】
静電型スピーカ１０は、（ａ）導電層１０３は、表面１０２Ａにおける保持領域１０Ａの部分を回避して表面１０２Ａに設けられている、または、（ｂ）導電層１１３は、表面１１２Ａにおける保持領域１０Ａの部分を回避して表面１１２Ａに設けられている、の少なくともいずれか一方を満たす。たとえば、本実施形態の静電型スピーカ１０は、表面１０２Ａにおける保持領域１０Ａの部分には、導電層１０３が形成されていない。すなわち、導電層１０３は、保持領域１０Ａの部分を回避して、表面１０２Ａに形成されている。また、表面１１２Ａにおける保持領域１０Ａの部分には、導電層１１３が形成されていない。すなわち、導電層１１３は、保持領域１０Ａの部分を回避して、表面１１２Ａに形成されている。
【００１５】
また、静電型スピーカ１０は、（ｃ）導電層１０４は、表面１０２Ｂにおける保持領域１０Ａの部分を回避して表面１０２Ｂに設けられている、または、（ｄ）導電層１１５は、表面１１４Ａにおける保持領域１０Ａの部分を回避して表面１１４Ａに設けられている、の少なくともいずれか一方を満たす。たとえば、本実施形態の静電型スピーカ１０は、表面１０２Ｂにおける保持領域１０Ａの部分には、導電層１０４が形成されていない。すなわち、導電層１０４は、保持領域１０Ａの部分を回避して、表面１０２Ｂに形成されている。また、表面１１４Ａにおける保持領域１０Ａの部分には、導電層１１５が形成されていない。すなわち、導電層１１５は、保持領域１０Ａの部分を回避して、表面１１４Ａに形成されている。
【００１６】
図４は、第１の実施形態に係る静電型スピーカ１０の電気的構成を示す。静電型スピーカ１０は、変圧器４２、外部から音響信号が入力される入力部４４、振動体１０２に対して直流バイアスを与えるバイアス電源４６を備えたプッシュプル型の静電型スピーカである。変圧器４２の出力側の中点は、バイアス電源４６の一方の電極に接続されている。バイアス電源４６の他方の電極は、導電層１０３および導電層１０４に接続されている。変圧器４２の出力側の一方の端部は、導電層１１３に接続されている。変圧器４２の出力側の他方の端部は、導電層１１５に接続されている。変圧器４２の入力側の端部は、入力部４４に接続されている。入力部４４に音響信号が入力されると入力された音響信号に応じた電圧が導電層１１３および導電層１１５に印加される。そして、印加された電圧によって導電層１１３と導電層１１５との間に電位差が生じると、導電層１１３と導電層１１５との間にある導電層１０３および導電層１０４には、導電層１１３または導電層１１５のいずれかの側へ引き寄せられる静電力が働く。
【００１７】
たとえば、導電層１０３および導電層１０４にプラスの電圧が印加された場合において、導電層１１３にプラスの電圧が印加され、導電層１１５にマイナスの電圧が印加されると、導電層１０３および導電層１０４は、導電層１１３と反発するとともに、導電層１１５に吸引され、導電層１１５へ変位する。また、導電層１０３および導電層１０４にプラスの電圧が印加された場合において、導電層１１３にマイナスの電圧が印加され、導電層１１５にプラスの電圧が印加されると、導電層１０３および導電層１０４は、導電層１１５と反発するとともに、導電層１１３に吸引され、導電層１１３側へ変位する。音響信号に応じて、導電層１０３および導電層１０４が、導電層１１３側および導電層１１５への変位を繰り返すことにより、振動体１０２が振動する。そして、振動体１０２は、振動状態（振動数、振幅、位相）に応じた音を発する。振動体１０２が発した音は、電極１１２の貫通孔１１２Ｃおよび電極１１４の貫通孔１１２Ｃの少なくともいずれか一方を通り抜けて静電型スピーカ１０の外部に放射される。
【００１８】
図５は、第１の実施形態に係る静電型スピーカ１０の保持例を示す。スピーカ設備５００は、静電型スピーカ１０および吊持型の保持部材５１０を備える。静電型スピーカ１０は、保持部材５１０によって、吊り下げられて設置されている。静電型スピーカ１０の上端には、保持領域１０Ａが設けられている。静電型スピーカ１０は、保持領域１０Ａの範囲内において、保持部材５１０に狭持されている。保持領域１０Ａには、保持部材５１０に挟持されたことにより、静電型スピーカ１０を挟持するのに十分な強さの圧力が加わっている。保持領域１０Ａにおいては、電極１１２、電極１１４、および振動体１０２のいずれにも導電層が対向しては形成されていない。このため、保持領域１０Ａに加わった強い圧力によって、隣接する導電層同士が短絡してしまうことがない。このように、静電型スピーカ１０によれば、静電型スピーカ１０を挟持する固定方法を用いて対象物に固定された場合であっても、正常に機能することができる。なお、静電型スピーカ１０を固定するための貫通孔を保持領域１０Ａに設け、静電型スピーカ１０を対象物に固定してもよい。この場合であっても、保持領域１０Ａにおいては、電極１１２、電極１１４、および振動体１０２のいずれにも導電層が対向しては形成されていないため、正常に機能することができる。
【００１９】
図６は、第２の実施形態に係る静電型スピーカ１０の外観を示す。第２の実施形態に係る静電型スピーカ１０は、第１の実施形態に係る静電型スピーカ１０の変形例である。以降では、第１の実施形態に係る静電型スピーカ１０と同一の点については説明を省略し、第１の実施形態に係る静電型スピーカ１０と異なる点を説明する。
【００２０】
静電型スピーカ１０の本体部には、静電型スピーカ１０の一方の表面（電極１１２の上面）から、静電型スピーカ１０の他方の表面（電極１１４の下面）へ貫通する貫通孔１０Ｃが形成されている。すなわち、貫通孔１０Ｃは、電極１１２、振動体１０２、および電極１１４をそれぞれ貫通する。図６に示す例では、貫通孔１０Ｃは、矩形状を有する。静電型スピーカ１０の本体部には、保持領域１０Ｄが設けられている。保持領域１０Ｄとは、静電型スピーカ１０を設置する場合に、保持部材によって保持される領域を示す。静電型スピーカ１０において、保持領域１０Ｄは、貫通孔１０Ｃの外周に沿って、設けられている。具体的には、静電型スピーカ１０において、保持領域１０Ｄは、矩形状の貫通孔１０Ｃの外周に沿って、貫通孔１０Ｃよりも大きい矩形状を有して設けられている。
【００２１】
図７は、第２の実施形態に係る静電型スピーカ１０の断面を示す。図８は、第２の実施形態に係る静電型スピーカ１０の構成を示す。静電型スピーカ１０において、保持領域１０Ｄは、貫通孔１０Ｃの外周に沿って、設けられている。これにより、表面１０２Ａにおける保持領域１０Ｄの部分は、表面１０２Ａにおける貫通孔１０Ｃの外周に沿って設けられている。また、表面１０２Ｂにおける保持領域１０Ｄの部分は、表面１０２Ｂにおける貫通孔１０Ｃの外周に沿って設けられている。また、表面１１２Ａにおける保持領域１０Ｄの部分は、表面１１２Ａにおける貫通孔１０Ｃの外周に沿って設けられている。また、表面１１４Ａにおける保持領域１０Ｄの部分は、表面１１４Ａにおける貫通孔１０Ｃの外周に沿って設けられている。
【００２２】
表面１０２Ａにおける保持領域１０Ｄの部分には、導電層１０３が形成されていない。すなわち、導電層１０３は、保持領域１０Ｄの部分を回避して、表面１０２Ａに形成されている。また、表面１０２Ｂにおける保持領域１０Ｄの部分には、導電層１０４が形成されていない。すなわち、導電層１０４は、保持領域１０Ｄの部分を回避して、表面１０２Ｂに形成されている。また、表面１１２Ａにおける保持領域１０Ｄの部分には、導電層１１３が形成されていない。すなわち、導電層１１３は、保持領域１０Ｄの部分を回避して、表面１１２Ａに形成されている。また、表面１１４Ａにおける保持領域１０Ｄの部分には、導電層１１５が形成されていない。すなわち、導電層１１５は、保持領域１０Ｄの部分を回避して、表面１１４Ａに形成されている。
【００２３】
図９は、第２の実施形態に係る静電型スピーカ１０の保持例を示す。図９に示すスピーカ設備５００は、静電型スピーカ１０および掛止型の保持部材５１０を備える。静電型スピーカ１０は、保持部材５１０によって、壁面９２０に吊り下げられて設置されている。保持部材５１０は、壁面９２０に固定されている。静電型スピーカ１０には、貫通孔１０Ｃが形成されている。静電型スピーカ１０には、貫通孔１０Ｃの外周に沿って保持領域１０Ｄが設けられている。静電型スピーカ１０においては、壁面９２０に固定されている保持部材５１０の突出部分が、貫通孔１０Ｃを貫通している。貫通孔１０Ｃは、保持部材５１０の突出部分に掛止されている。これにより、静電型スピーカ１０は、壁面９２０から落下しないように、保持部材５１０に保持されている。ここで、保持領域１０Ｄにおいては、電極１１２、電極１１４、および振動体１０２のいずれにも導電層が形成されていない。このため、貫通孔１０Ｃの内壁面には、導電層が露出していない。これにより、保持部材５１０が導電性を有するものであったとしても、静電型スピーカ１０が備える導電層同士が保持部材５１０を介して短絡してしまうことがない。このように、第２の実施形態に係る静電型スピーカ１０によれば、静電型スピーカ１０に貫通孔１０Ｃを設ける固定方法を用いて対象物に固定された場合であっても、正常に機能することができる。
【００２４】
以上、本発明の第１の実施形態および第２の実施形態について説明したが、本発明は上述した第１の実施形態および第２の実施形態に限定されることなく、他の様々な形態で実施可能である。例えば、上述の第１の実施形態および第２の実施形態を以下のように変形して本発明を実施してもよい。
【００２５】
第１の実施形態および第２の実施形態において、静電型スピーカ１０は、上記した構成に限らず、少なくとも、第１の表面に第１の導電層が設けられた振動体と、第１の表面と対向する第２の表面に第２の導電層が設けられた基板とを備えていればよい。たとえば、静電型スピーカ１０は、少なくとも、表面１０２Ａに導電層１０３が設けられた振動体１０２と、表面１１２Ａに導電層１１３が設けられた電極１１２とを備えていればよい。電極１１２、振動体１０２、および電極１１４は、保持領域１０Ａの部分および保持領域１０Ｄの部分に導電性を有さず、保持領域１０Ａ以外の部分および保持領域１０Ｄ以外の部分に導電性を有するものであればよく、上記した構成に限らない。たとえば、電極１１２および電極１１４の少なくともいずれか一方に、保持領域１０Ａの部分および保持領域１０Ｄの部分に導電材が含まれ、保持領域１０Ａおよび保持領域１０Ｄの部分に導電材が含まれていない平板状の導電布を用いてもよい。
【００２６】
第１の実施形態および第２の実施形態において、電極１１２、電極１１４、および振動体１０２には、ＰＥＴおよびＰＰ以外の素材を用いてもよい。たとえば、電極１１２、電極１１４、および振動体１０２には、合成樹脂を用いてもよい。クッション材１３２は、通気性および弾性を有するものであればよく、綿を圧縮したものに限らない。たとえば、クッション材１３２には、エステルウールなどを用いてもよい。振動体１０２、電極１１２、および電極１１４は、矩形状に限らない。たとえば、これらの部材は、円形状、または矩形以外の多角形状であってもよい。
【００２７】
第１の実施形態および第２の実施形態において、保持部材５１０には、端子が設けられていてもよい。これに応じて、静電型スピーカ１０には、保持部材５１０に保持された場合に、保持部材５１０に設けられた端子と接触する位置に、端子が設けられていてもよい。この場合、保持部材５１０および静電型スピーカ１０に設けられた端子は、導電層１１３に給電するための端子、導電層１１５に給電するための端子、導電層１０３に給電するための端子、または導電層１０４に給電するための端子のいずれであってもよい。保持部材５１０および静電型スピーカ１０には、上記した端子が複数設けられてもよい。たとえば、保持部材５１０および静電型スピーカ１０のそれぞれに、保持部材５１０および静電型スピーカ１０に設けられた端子は、導電層１１３に給電するための端子、導電層１１５に給電するための端子、導電層１０３に給電するための端子、および導電層１０４に給電するための端子がそれぞれ設けられてもよい。
【００２８】
第１の実施形態において、保持領域１０Ａは、矩形状の静電型スピーカ１０の一辺に沿ったものに限らない。また、保持領域１０Ａは、一定の幅を有するものに限らない。たとえば、保持領域１０Ａは、静電型スピーカ１０を保持する保持部材の位置、形状、および大きさに合わせた位置、形状、および大きさを有して本体部に設けられてもよい。保持部材５１０は、静電型スピーカ１０の上端を保持するものに限らず、静電型スピーカ１０の上端以外の部分を保持するものであってもよい。たとえば、保持部材５１０は、静電型スピーカ１０の左右両端、静電型スピーカ１０の上下両端、静電型スピーカ１０の４角、静電型スピーカ１０の４辺、などを保持するものであってもよい。これらの場合、保持領域１０Ａは、少なくとも保持部材５１０に保持される位置に設けられていればよい。保持部材５１０は、静電型スピーカ１０の辺の長さよりも短いものであってもよい。この場合、保持領域１０Ａは、保持部材５１０によって保持される辺の長さ方向において、少なくとも保持部材の長さと同じ長さを有して設けられていればよい。
【００２９】
第１の実施形態において、静電型スピーカ１０は、保持領域１０Ａの部分において、隣接する導電層同士が短絡しない構成であればよい。すなわち、振動体１０２の表面１０２Ａ、および電極１１２の表面１１２Ａの少なくともいずれか一方が導電性を有していない構成としてもよい。同様に、振動体１０２の表面１０２Ｂ、および電極１１４の表面１１４Ａの少なくともいずれか一方が導電性を有していない構成としてもよい。たとえば、保持領域１０Ａの部分において、導電層１１３および導電層１０３のいずれか一方が設けられていない構成としてもよい。同様に、保持領域１０Ａの部分において、導電層１１５および導電層１０４のいずれか一方が設けられていない構成としてもよい。他の例として、保持領域１０Ａの部分において、導電層１１３および導電層１０３のいずれか一方の表面に絶縁層を形成する構成としてもよい。同様に、保持領域１０Ａの部分において、導電層１１５および導電層１０４のいずれか一方の表面に絶縁層を形成する構成としてもよい。
【００３０】
第２の実施形態において、貫通孔１０Ｃは、矩形状に限らない。たとえば、貫通孔１０Ｃは、円形状、または矩形以外の多角形状であってもよい。静電型スピーカ１０の本体部に形成されている貫通孔１０Ｃの数は２つに限らない。たとえば、静電型スピーカ１０の本体部には、１つまたは３つ以上の貫通孔１０Ｃが形成されていてもよい。保持領域１０Ｄは、矩形状に限らない。たとえば、保持領域１０Ｄは、円形状、または矩形以外の多角形状であってもよい。保持領域１０Ｄは、貫通孔１０Ｃの形状と同じ形状でなくてもよい。保持領域１０Ｄは、静電型スピーカ１０を保持する保持部材の形状、および大きさに合わせた形状、および大きさを有して本体部に設けられてもよい。保持領域１０Ｄは、静電型スピーカ１０を保持する保持部材の保持位置に合わせた本体部の位置に設けられてもよい。
【００３１】
第２の実施形態において、貫通孔１０Ｃを用いた静電型スピーカ１０の固定方法は、図９に示した保持部材５１０による固定方法に限らない。たとえば、壁面９２０から突出した釘、杭などの棒状の保持部材５１０に、貫通孔１０Ｃを掛止させることにより、静電型スピーカ１０を、壁面９２０から落下しないように、保持部材５１０に保持させてもよい。また、たとえば、貫通孔１０Ｃに螺子を貫通させたうえで、壁面９２０に対して、螺子を締め込むことで、壁面９２０に対して静電型スピーカ１０を固定してもよい。この場合、より確実に静電型スピーカ１０を壁面９２０に固定するため、螺子をより締め込むことにより、螺子の頭部で、静電型スピーカ１０を壁面９２０に対して強い圧力で押し付けてもよい。この場合、保持領域１０Ｄには、螺子の頭部により、静電型スピーカ１０を壁面９２０に対して押し付けて固定するのに十分な強さの圧力が加わる。保持領域１０Ｄにおいては、電極１１２、電極１１４、および振動体１０２のいずれにも導電層が形成されていない。このため、保持領域１０Ｄに加わった強い圧力によって、隣接する導電層同士が短絡してしまうことがない。このように、第２の実施形態に係る静電型スピーカ１０によれば、静電型スピーカ１０に形成された貫通孔１０Ｃの周囲を挟持する固定方法を用いて対象物に固定された場合であっても、正常に機能することができる。
【００３２】
第２の実施形態において、静電型スピーカ１０の出荷時には、静電型スピーカ１０には、貫通孔１０Ｃが設けられていなくてもよい。この場合、静電型スピーカ１０の出荷時には、静電型スピーカ１０には、貫通孔１０Ｃが設けられた場合に貫通孔１０Ｃの周囲の領域となる領域に、保持領域１０Ｄが設けられていてもよい。これらの場合、貫通孔１０Ｃは、ユーザが静電型スピーカ１０を壁面９２０に固定する際に、ユーザが形成してもよい。たとえば、ユーザは、静電型スピーカ１０を固定する前に、あらかじめ、ドリル、ポンチなどを用いて保持領域１０Ｄに貫通孔１０Ｃを形成しておいてもよい。また、ユーザは、保持領域１０Ｄに釘を打ち込むことによって、静電型スピーカ１０を壁面９２０に固定するなど、静電型スピーカ１０を固定すると同時に、貫通孔１０Ｃを形成してもよい。
【００３３】
静電型スピーカ１０の表面において、保持領域１０Ａおよび保持領域１０Ｄの部分には、保持領域であることが示されてもよい。たとえば、静電型スピーカ１０の表面において、保持領域１０Ａおよび保持領域１０Ｄの部分には、保持領域１０Ａおよび保持領域１０Ｄ以外の部分と異なる色で示されてもよい。たとえば、静電型スピーカ１０の表面において、保持領域１０Ａおよび保持領域１０Ｄの部分には、保持領域１０Ａおよび保持領域１０Ｄ以外の部分と異なる表面形状を有してもよい。これにより、静電型スピーカ１０の保持に適する、保持部材５１０の位置、形状、および大きさなどを、ユーザが容易に判断することができる。
【符号の説明】
【００３４】
１０…静電型スピーカ、１０Ａ，１０Ｄ…保持領域、１０Ｂ…内部空間、１０Ｃ…貫通孔、４２…変圧器、４４…入力部、４６…バイアス電源、１０２…振動体、１０２Ａ…表面、１０３…導電層、１０４…導電層、１１２…電極、１１２Ａ…表面、１１２Ｃ…貫通孔、１１３…導電層、１１４…電極、１１４Ａ…表面、１１４Ｃ…貫通孔、１１５…導電層、１３２…クッション材、５００…スピーカ設備、５１０…保持部材、９２０…壁面
【図１】
2011077924.tif 000003
【図２】
2011077924.tif 000004
【図３】
2011077924.tif 000005
【図４】
2011077924.tif 000006
【図５】
2011077924.tif 000007
【図６】
2011077924.tif 000008
【図７】
2011077924.tif 000009
【図８】
2011077924.tif 000010
【図９】
2011077924.tif 000011